(57)【要約】【課題】配管内に滞留した水の抽出が完了したことを正確に判定することができる抽水完了判定装置及び抽水完了判定方法を提供する。【解決手段】吸引手段３０と抽水対象配管１０とを接続する接続管２と、接続管２内の水流の有無を検出可能な水流検出手段４と、抽水対象配管１０内の空気の流速である配管内風速を検出する配管内風速検出手段５とを備え、吸引手段３０による吸引を開始した後に、水流検出手段４によって接続管２内の水流が検出されなくなる水流非検出状態であり、且つ、配管内風速検出手段５によって検出された配管内風速が所定の抽水可能風速以上に維持されている抽水可能風速維持状態である場合に、抽水完了状態であると判定し判定結果を出力する抽水完了判定手段９を備えた。【選択図】図２
2014159834.tif 000002
【特許請求の範囲】
【請求項１】
抽水対象配管内に滞留した水を、前記抽水対象配管の一端側を大気中に開放した状態で、前記抽水対象配管の他端側から前記一端側より吸入した空気とともに吸引手段により吸引して抽出するにあたり、前記抽水対象配管内に滞留した水の抽出が完了した抽水完了状態であることを判定する抽水完了判定装置であって、
前記吸引手段と前記抽水対象配管の他端側とを接続する接続管と、当該接続管内の水流の有無を検出可能な水流検出手段と、前記抽水対象配管内の空気の流速である配管内風速を検出する配管内風速検出手段とを備え、
前記吸引手段による吸引を開始した後に、前記水流検出手段によって前記接続管内の水流が検出されなくなる水流非検出状態であり、且つ、前記配管内風速検出手段によって検出された前記配管内風速が所定の抽水可能風速以上に維持されている抽水可能風速維持状態である場合に、前記抽水完了状態であると判定し当該判定結果を出力する抽水完了判定手段を備えた抽水完了判定装置。
【請求項２】
前記配管内風速検出手段が、前記接続管内の空気の流速である接続管内風速を計測する接続管内風速計測手段と、当該接続管内風速計測手段によって計測された接続管内風速と前記接続管に対する前記抽水対象配管の管内断面積の比とを用いて前記所定の抽水可能風速と対比可能な前記配管内風速を算出する風速算出手段とで構成されている請求項１に記載の抽水完了判定装置。
【請求項３】
前記接続管内の圧力である管内圧力を計測する圧力計測手段を備え、
前記抽水完了判定手段において、前記水流非検出状態であり、且つ、前記抽水可能風速維持状態であり、且つ、前記圧力計測手段によって計測された前記管内圧力が所定の設定圧力以下である圧力下降状態である場合に、前記抽水完了状態であると判定する請求項１又は２に記載の抽水完了判定装置。
【請求項４】
前記接続管の少なくとも一部が内部を視認可能な透明部として構成され、
前記水流検出手段が前記接続管の外側から前記透明部を介して前記水流の有無を検出するように構成されている請求項１から３の何れか一項に記載の抽水完了判定装置。
【請求項５】
抽水対象配管内に滞留した水を、前記抽水対象配管の一端側を大気中に開放した状態で、前記抽水対象配管の他端側から前記一端側より吸入した空気とともに吸引手段により吸引して抽出するにあたり、前記抽水対象配管内に滞留した水の抽出が完了した抽水完了状態であることを判定する抽水完了判定方法であって、
前記吸引手段と前記配管の他端側とを接続する接続管を設け、
前記吸引手段による吸引を開始した後に、前記接続管内の水流が検出されなくなる水流非検出状態であり、且つ、前記抽水対象配管内の風速である配管内風速が所定の抽水可能風速以上に維持されている抽水可能風速維持状態である場合に、前記抽水完了状態であると判定する抽水完了判定処理を実行する抽水完了判定方法。
【請求項６】
前記接続管に当該接続管内の空気の風速である接続管内風速を計測する風速計測手段を設け、
前記抽水完了判定処理における前記配管内風速を、前記風速計測手段によって計測された接続管内風速と、前記接続管に対する前記抽水対象配管の管内断面積の比とを用いて算出する請求項５に記載の抽水完了判定方法。
【請求項７】
前記接続管に当該接続管内の圧力である管内圧力を計測する圧力計測手段を設け、
前記抽水完了判定処理において、前記水流非検出状態であり、且つ、前記抽水可能風速維持状態であり、且つ、前記圧力計測手段によって計測された前記管内圧力が所定の設定圧力以下である圧力下降状態である場合に、前記抽水完了状態であると判定する請求項５又は６に記載の抽水完了判定方法。
【請求項８】
前記接続管の少なくとも一部が内部を視認可能な透明部として構成され、
前記抽水完了判定処理において、前記接続管の外側から前記透明部を介して目視により前記水流非検出状態であるか否かを判定する請求項５から７の何れか一項に記載の抽水完了判定方法。
【発明の詳細な説明】
【技術分野】
【０００１】
本発明は、抽水対象配管内に滞留した水を、前記抽水対象配管の一端側を大気中に開放した状態で、前記抽水対象配管の他端側から前記一端側より吸入した空気とともに吸引手段により吸引して抽出するにあたり、前記抽水対象配管内に滞留した水の抽出が完了した抽水完了状態であることを判定する抽水完了判定装置及び抽水完了判定方法に関する。
【背景技術】
【０００２】
従来の抽水装置として、例えば、特許文献１には、抽水対象配管内としてのガス導管内に滞留した水を、ガス導管の一端側を大気中に開放した状態で、ガス導管の他端側を負圧にして抽出する抽水装置が開示されている。
また、特許文献２には、抽水対象配管としての地域冷暖房装置等における配管の一端側から配管内を洗浄する洗浄水と空気とを供給するとともに、配管の他端側に吸引手段を設けてその洗浄水と空気とを配管内から抽出するにあたり、吸引手段と配管との間に、吸引手段により配管内から抽出される洗浄水の汚れ状態を確認することができる透明管が設けられた洗浄装置が開示されている。
【先行技術文献】
【特許文献】
【０００３】
【特許文献１】特開平９−２１７８９９号公報
【特許文献２】特開２００１−３８３１５号公報
【発明の概要】
【発明が解決しようとする課題】
【０００４】
しかしながら、上記特許文献１に開示されている抽水装置では、配管内に滞留する水の抽出が完了したことの判定が行われておらず、配管内に滞留する水がすべて抽出されたかを判断することができないという問題がある。
また、例えば、特許文献１の抽水装置において、特許文献２に開示されるような透明管を設け、作業者が透明管内の水流の有無を確認することで配管内に滞留した水の抽出が完了したことを判定しようとすると、水の抽出が完了したことの判定は作業者の個々の経験に基づいて行われることとなるので、実際には配管内に水が残存している状態であるのに、誤って水の抽出が完了していると判定されるという虞がある。
【０００５】
本発明は、かかる点に着目してなされたものであり、配管内に滞留した水の抽出が完了したことを正確に判定することができる抽水完了判定装置及び抽水完了判定方法を提供することを目的とする。
【課題を解決するための手段】
【０００６】
上記目的を達成するための本発明に係る抽水完了判定装置は、
抽水対象配管内に滞留した水を、前記抽水対象配管の一端側を大気中に開放した状態で、前記抽水対象配管の他端側から前記一端側より吸入した空気とともに吸引手段により吸引して抽出するにあたり、前記抽水対象配管内に滞留した水の抽出が完了した抽水完了状態であることを判定する抽水完了判定装置であって、その第１特徴構成は、
前記吸引手段と前記抽水対象配管の他端側とを接続する接続管と、当該接続管内の水流の有無を検出可能な水流検出手段と、前記抽水対象配管内の空気の流速である配管内風速を検出する配管内風速検出手段とを備え、
前記吸引手段による吸引を開始した後に、前記水流検出手段によって前記接続管内の水流が検出されなくなる水流非検出状態であり、且つ、前記配管内風速検出手段によって検出された前記配管内風速が所定の抽水可能風速以上に維持されている抽水可能風速維持状態である場合に、前記抽水完了状態であると判定し当該判定結果を出力する抽水完了判定手段を備えた点にある。
【０００７】
上記抽水完了判定装置の第１特徴構成によれば、抽水対象配管の他端側から吸引手段により抽出される水流が、接続管内において検出されなくなることに加え、抽水対象配管の空気の流速が抽水可能風速以上に維持されている抽水可能風速維持状態である場合に、抽水完了状態であると判定される。よって、抽水対象配管内の空気の流速である配管内風速が不十分であるために抽水対象配管に滞留する水が抽出することができない場合において、水流検出手段において水流が検出されないことにより抽水が完了したとする誤判定を防止することができる。
【０００８】
本発明に係る抽水完了判定装置の第２特徴構成は、上記抽水完了判定装置の第１特徴構成に加えて、
前記配管内風速検出手段が、前記接続管内の空気の流速である接続管内風速を計測する接続管内風速計測手段と、当該接続管内風速計測手段によって計測された接続管内風速と前記接続管に対する前記抽水対象配管の管内断面積の比とを用いて前記所定の抽水可能風速と対比可能な前記配管内風速を算出する風速算出手段とで構成されている点にある。
【０００９】
上記抽水完了判定装置の第２特徴構成によれば、接続管に備えられた接続管内風速計測手段によって計測された接続管内風速と接続管に対する抽水対象配管の管内断面積の比とを用いて配管内風速を算出するので、抽水対象管に風速計等を設けることなく、抽水対象管内を流れる空気の流速である配管内風速を、接続管内風速と接続管に対する抽水対象配管の管内断面積の比とから算出により求めることができる。
【００１０】
本発明に係る抽水完了判定装置の第３特徴構成は、上記抽水完了判定装置の第１乃至第２特徴構成の何れかに加えて、
前記接続管内の圧力である管内圧力を計測する圧力計測手段を備え、
前記抽水完了判定手段において、前記水流非検出状態であり、且つ、前記抽水可能風速維持状態であり、且つ、前記圧力計測手段によって計測された前記管内圧力が所定の設定圧力以下である圧力下降状態である場合に、前記抽水完了状態であると判定する点にある。
【００１１】
上記抽水完了判定装置の第３特徴構成によれば、吸引手段により吸引を開始した後に、水流非検出状態且つ抽水可能風速維持状態であり、更に、圧力計測手段によって計測された管内圧力（吸引圧力）が所定の設定圧力以下である場合に、抽水完了状態であると判定する。よって、水流非検出状態かつ抽水可能風速維持状態となることがあっても、圧力計測手段によって計測された管内圧力が所定の設定圧力より高い場合は、抽水対象管の途中に水が残留している可能性が高いことから、抽水完了状態であると判定されることを回避することができる。なお、管内圧力（吸引圧力）は、吸引手段の吸引に伴って抽水対象管内に発生する負の圧力である。よって、管内圧力が所定の設定圧力以下である場合とは、抽水対象管内に発生している負の圧力が所定の設定圧力と同じ又はこれより小さい負の圧力となる場合を意味する。また、管内圧力が所定の設定圧力より高い場合とは、抽水対象管内に発生している負の圧力が所定の設定圧力よりも大きい負の圧力となる場合を意味する。
すなわち、例えば、抽水対象配管内に滞留する水が、吸引手段による吸引により抽水対象配管内を一端側から他端側に向かって移動している場合に、水流非検出状態かつ抽水可能風速維持状態となることがあっても、圧力計測手段によって計測された管内圧力は、滞留する水を吸引するために高い管内圧力となる。このような場合に、この管内圧力が所定の設定圧力より高くなることで、抽水が完了していないことを判定することができる。よって、配管内に滞留した水の抽出が完了したことを正確に判定することができる。
【００１２】
本発明に係る抽水完了判定装置の第４特徴構成は、上記抽水完了判定装置の第１乃至第３特徴構成の何れかに加えて、
前記接続管の少なくとも一部が内部を視認可能な透明部として構成され、
前記水流検出手段が前記接続管の外側から前記透明部を介して前記水流の有無を検出するように構成されている点にある。
【００１３】
上記抽水完了判定装置の第４特徴構成によれば、接続管の外側に水流検出手段を設けることができ、水流検出手段の設置を容易にすることができる。また、水流検出手段が接続管内を流れる水と接触しないので、水流検出手段の防水対策などを行う必要がなく、水流検出手段を簡単な構成とすることができる。
【００１４】
上記目的を達成するための本発明に係る抽水完了判定方法は、
抽水対象配管内に滞留した水を、前記抽水対象配管の一端側を大気中に開放した状態で、前記抽水対象配管の他端側から前記一端側より吸入した空気とともに吸引手段により吸引して抽出するにあたり、前記抽水対象配管内に滞留した水の抽出が完了した抽水完了状態であることを判定する抽水完了判定方法であって、その第１特徴構成は、
前記吸引手段と前記配管の他端側とを接続する接続管を設け、
前記吸引手段による吸引を開始した後に、前記接続管内の水流が検出されなくなる水流非検出状態であり、且つ、前記抽水対象配管内の風速である配管内風速が所定の抽水可能風速以上に維持されている抽水可能風速維持状態である場合に、前記抽水完了状態であると判定する抽水完了判定処理を実行する点にある。
【００１５】
上記抽水完了判定方法の第１特徴構成によれば、抽水対象配管の他端側から吸引手段により抽出される水流が、接続管内において検出されなくなることに加え、抽水対象配管の空気の流速が抽水可能風速以上に維持されている抽水可能風速維持状態である場合に、抽水完了状態であると判定されるので、接続管内における水流の有無及び空気の流速を検出して、配管内に滞留した水の抽出が完了したことを正確に判定することができる。
【００１６】
本発明に係る抽水完了判定方法の第２特徴構成は、上記抽水完了判定方法の第１特徴構成に加えて、
前記接続管に当該接続管内の空気の風速である接続管内風速を計測する風速計測手段を設け、
前記抽水完了判定処理における前記配管内風速を、前記風速計測手段によって計測された接続管内風速と、前記接続管に対する前記抽水対象配管の管内断面積の比とを用いて算出する点にある。
【００１７】
上記抽水完了判定方法の第２特徴構成によれば、接続管に備えられた接続管内風速計測手段によって計測された接続管内風速と接続管に対する抽水対象配管の管内断面積の比とを用いて配管内風速を算出するので、抽水対象管に風速計等を設けることなく、抽水対象管内の配管内風速を算出により求めることができる。
【００１８】
本発明に係る抽水完了判定方法の第３特徴構成は、上記抽水完了判定方法の第１乃至第２特徴構成の何れかに加えて、
前記接続管に当該接続管内の圧力である管内圧力を計測する圧力計測手段を設け、
前記抽水完了判定処理において、前記水流非検出状態であり、且つ、前記抽水可能風速維持状態であり、且つ、前記圧力計測手段によって計測された前記管内圧力が所定の設定圧力以下である圧力下降状態である場合に、前記抽水完了状態であると判定する点にある。
【００１９】
上記抽水完了判定方法の第３特徴構成によれば、吸引手段により吸引を開始した後に、水流非検出状態かつ抽水可能風速維持状態であり、且つ、圧力計測手段によって計測された管内圧力が所定の設定圧力以下である場合に、抽水完了状態であると判定することができる。よって、水流非検出状態かつ抽水可能風速維持状態となることがあっても、圧力計測手段によって計測された管内圧力が所定の設定圧力より高い場合は、抽水完了状態であると判定されることを回避することができる。
【００２０】
本発明に係る抽水完了判定方法の第４特徴構成は、上記抽水完了判定方法の第１乃至第３特徴構成の何れかに加えて、
前記接続管の少なくとも一部が内部を視認可能な透明部として構成され、
前記抽水完了判定処理において、前記接続管の外側から前記透明部を介して目視により前記水流非検出状態であるか否かを判定する点にある。
【００２１】
上記抽水完了判定方法の第４特徴構成によれば、接続管の少なくとも一部が内部を視認可能な透明部として構成されるので、この透明部から接続管内部の水流の有無を確認することができる。これにより、簡単な構成によって水流非検出状態であるか否かを判定することができる。
【図面の簡単な説明】
【００２２】
【図１】抽水対象管に対する抽水完了判定装置の設置状態を示す概略斜視図
【図２】抽水完了判定装置の構成を示す概略斜視図
【図３】抽水完了判定方法における抽水完了判定処理を示すフローチャート
【発明を実施するための形態】
【００２３】
以下、図に基づいて、本発明に係る抽水完了判定装置、及び抽水完了判定方法の実施形態について説明する。
図１及び図２に示すように、本実施形態に係る抽水完了判定装置１は、抽水対象配管としてのガス配管１０内に滞留した水Ｗを、ガス配管１０の一端側１０ａを大気中に開放した状態で、ガス配管１０の他端側１０ｂから一端側１０ａより吸入した空気Ａとともに吸引手段３０により吸引して抽出するにあたり、ガス配管１０内に滞留した水Ｗの抽出が完了した抽水完了状態であることを判定するものである。
この抽水完了判定装置１は、吸引手段３０とガス配管１０の他端側１０ｂとを接続する接続管２と、コンピュータからなる演算処理部である制御部３（図２参照）とを備えている。
【００２４】
ガス配管１０は、比較的大径（例えば、外径１１４．３ｍｍ以上）の本管１１、及び本管１１から分岐している複数の支管１２からなる。複数の支管１２は、比較的小径（例えば、外径１０１．６ｍｍ以下）とされ、一端側１０ａとしての支管１２の端部１２ａのそれぞれに、開閉弁１２ｂを備えている。この支管１２の端部１２ａは、例えば、工場内や住宅内に備えられている。
【００２５】
本管１１は、直管部１１ａと直管部１１ａよりも高さレベルの低いＵ字管部１１ｂを有し、支管１２も、直管部１２ｃとその直管部１２ｃよりも高さレベルの低いＵ字管部１２ｄを有する。これらのＵ字管部１１ｂ、１２ｄは、一般に、地中に埋設されている暗渠や土管を回避しながらガス配管１０を配設する必要から形成されている。そして、図１にて斜線で表されるように、ガス配管１０内に滞留する水Ｗの大部分は、Ｕ字管部１１ｂ、１２ｄ内に位置している。
【００２６】
吸引手段３０は、例えば、真空ポンプとタンクを装着したバキューム車とされる。ガス配管１０内の水Ｗと空気Ａとの吸引を行う際は、真空ポンプによってタンク内を負圧にし、大気圧とタンク内圧の差により、ガス配管１０内の水Ｗと空気Ａとを接続管２を介してタンク内に吸引する。なお、真空ポンプは、バキューム車のエンジンを動力として駆動される。
【００２７】
図２に示すように、接続管２は、ガス配管１０の他端側１０ｂとフランジ等の固定手段４０で固定接続されているとともに、吸引手段３０とは、耐圧ホース３０ａで接続されている。耐圧ホース３０ａは、吸引手段３０によってガス配管１０内の水Ｗと空気Ａとを吸引する際に内部の圧力が低くなるため、外圧によりつぶれない構造のものとされ、例えば、金属のコイルが埋め込まれた構造のホースが使われている。また、接続管２の耐圧ホース３０ａとの接続部には、接続管２内の流路を遮断可能な遮断弁２ｂが設けられている。
【００２８】
接続管２には、接続管２内の水流の有無を検出可能な水流検出手段としての水検出センサー４と、ガス配管１０内の空気Ａの流速である配管内風速Ｖｈを検出する配管内風速検出手段５と、接続管２内の圧力である管内圧力（吸引圧力）Ｐを計測する圧力計測手段６とを備えている。
【００２９】
接続管２の少なくとも一部が内部を視認可能な透明部２ａとして構成され、水検出センサー４が接続管２の外側から透明部２ａを介して水流の有無を検出するように構成されている。水検出センサー４は、例えば、投光部４ａと受光部４ｂとを備え、投光部４ａから受光部４ｂに向けて出力された赤外線の、受光部４ｂにおける受光状態によって接続管２内における水Ｗの有無を検出可能とするものである。これにより、ガス配管１０から吸引手段３０に吸引される水流の有無が検出されている。
【００３０】
配管内風速検出手段５は、接続管２内の空気Ａの流速である接続管内風速Ｖｓを計測する接続管内風速計測手段としての風速計７と、この風速計７によって計測された接続管内風速Ｖｓと接続管２に対するガス配管１０の管内断面積の比とを用いて配管内風速Ｖｈを算出する風速算出手段８とで構成されている。本実施形態においては、制御部３が風速算出手段８として機能するように構成されている。風速算出手段８は、配管内風速Ｖｈを、接続管内流速Ｖｓ×（接続管断面積Ａｓ／ガス配管断面積Ａｈ）として算出するように構成されている。接続管内風速Ｖｓを計測する風速計７は、回転翼の回転により風速を算出するベーン式の風速計や、ピトー管の差圧より風速を算出するピトー管式の風速計などを使用することができる。
【００３１】
制御部３は、ガス配管１０内から水Ｗの抽出が完了した抽水完了状態であることを判定する抽水完了判定手段９としても機能する。抽水完了判定手段９は、吸引手段３０による吸引を開始した後に、水検出センサー４によって接続管２内の水流が検出されなくなる水流非検出状態であり、且つ、配管内風速検出手段５によって検出された配管内風速Ｖｈが所定の抽水可能風速Ｖｐ以上に維持されている抽水可能風速維持状態であり、更には、圧力計測手段６によって計測された管内圧力Ｐが所定の設定圧力以下である圧力下降状態である場合に、抽水完了状態であると判定し当該判定結果を出力するように構成されている。なお、管内圧力Ｐは、吸引手段３０の吸引に伴ってガス配管１０内に発生する負の圧力である。よって、管内圧力Ｐが所定の設定圧力以下である場合とは、ガス配管１０内に発生している負の圧力が所定の設定圧力と同じ又はこれより小さい負の圧力となる場合を意味する。
【００３２】
この制御部３には、抽水の対象とするガス配管１０の管径、及び、風速計７が設けられている接続管２の管径を入力する入力部３ａが設けられている。入力部３ａに入力した管径から、風速算出手段８は、ガス配管１０の断面積であるガス配管断面積Ａｈ及び接続管２の断面積である接続管断面積Ａｓを求めて、配管内風速Ｖｈを算出する。
また、風速計７によって計測された接続管内風速Ｖｓ、圧力計測手段６によって計測された管内圧力Ｐ、及び、配管内風速Ｖｈを表示する表示部３ｂが設けられている。さらに、抽水可能風速Ｖｐを設定する設定部３ｃと、抽水完了判定手段９による判定結果を出力する判定結果出力部３ｄとが設けられている。
【００３３】
所定の抽水可能風速Ｖｐの値は、ガス配管１０の形状に応じて設定される。具体的には、例えば、本管１１において、Ｕ字管部１１ｂの下端部の高さ方向の位置が、直管部１１ａの高さ方向の位置に対して低いほど、Ｕ字管部１１ｂに滞留する水Ｗを直管部１１ａまで上昇させるために空気Ａの配管内風速Ｖｈを大きくすることが必要となるので、所定の抽水可能風速Ｖｐを大きな値に設定することが必要となる。
本実施形態では、例えば、Ｕ字管部１１ｂが直管部１１ａの管軸からＵ字管部１１ｂの下端部の管軸までの鉛直方向の位置が３ｍ低い位置に配設されている場合には、配管内風速Ｖｈを、２０ｍ／ｓｅｃに設定することで、本管１１のＵ字管部１１ｂ及び支管１２のＵ字管部１２ｄ等に滞留する水Ｗをガス配管１０から吸引することができる。よって、この場合、設定部３ｃにおいて所定の抽水可能風速Ｖｐを２０ｍ／ｓｅｃに設定する。また、配管内風速Ｖｈを２０ｍ／ｓｅｃ以上の風速とすることができる吸引能力を有する吸引手段３０を、ガス配管１０の他端側１０ｂに接続管２を介して接続する。
【００３４】
次に、抽水完了判定方法の処理フローについて説明する。
図１に示すように、本管１１を、水Ｗが滞留するＵ字管部１１ｂ等の位置が間に位置するような２つの箇所で、適切な寸法のピット３１、３２を掘削し、この掘削によって露出した２ヵ所の本管部分を切断する。この切断によって本管１１に形成された２つの端部の内の一端側１０ａを大気開放状態とするとともに、他端側１０ｂに接続管２を介して吸引手段３０を接続する。これにより、吸引手段３０によって吸引を開始することにより、本管１１内を一端側１０ａから吸入された空気Ａが通流する状態となり、本管１１に滞留する水Ｗが抽出可能となる。
【００３５】
このように、本管１１内に滞留する水Ｗを抽水対象とする場合であっても、複数の支管１２の端部１２ａに設けられた複数の開閉弁１２ｂを開状態とすることで、本管１１内における配管内風速Ｖｈを抽水可能風速Ｖｐ以上とするために必要な空気量を複数の支管１２の端部１２ａから吸入できる場合は、一端側１０ａにおいて空気Ａを吸入するための大気開放部を、上述の如くガス配管１０を切断して設ける必要はない。
【００３６】
また、支管１２のＵ字管部１２ｄ等に滞留する水Ｗを抽水する場合においても、一端側１０ａにおいて空気Ａを吸入するための大気開放部を、上述の如くガス配管１０を切断して設ける必要はなく、支管１２の端部１２ａの開閉弁１２ｂを開状態とすることで、支管１２及び本管１１に、端部１２ａから吸入された空気Ａが通流する状態となり、支管１２のＵ字管部１２ｄ等に滞留する水Ｗが抽出可能となる。
【００３７】
そして、詳細は以下に述べるが、吸引手段３０によって吸引を開始した後に、抽水完了判定処理を実行する。この抽水完了判定処理において、抽水が完了したと判定されると吸引手段３０による吸引を停止する。その後、ガス配管１０の一端側１０ａ及び他端側１０ｂにおいて切断した個所を接続し、また、開閉弁１２ｂを開状態としていた場合は開閉弁１２ｂを閉じる。
【００３８】
次に、抽水完了判定処理を図３に示すフローチャートに基づいて説明する。
吸引手段３０によって吸引が開始されると、水検出センサー４によって接続管２内の水流を検出する（＃１０１）。次に、接続管２内の水流が検出されない水流非検出状態であるかを判定する（＃１０２）。水流が検出された水流検出状態である場合は、再度水流が検出される（＃１０１）。一方、水流非検出状態である場合は、管内圧力Ｐが計測されるとともに（＃１０３）、接続管内風速Ｖｓが計測される（＃１０４）。さらに、この接続管内風速Ｖｓと、接続管２に対するガス配管１０の管内断面積の比とを用いて配管内風速Ｖｈが算出される（＃１０５）。
【００３９】
次に、配管内風速Ｖｈが所定の抽水可能風速以上Ｖｐに維持されている抽水可能風速維持状態であり、かつ、圧力計測手段６によって計測された管内圧力Ｐが所定の設定圧力以下である圧力下降状態であるかを判定する（＃１０６）。
例えば、吸引手段３０によって吸引を開始した直後等、ガス配管１０に滞留する水Ｗが接続管２に到達する前に、接続管２に向かってガス配管１０内を移動している場合では、一時的に水流非検出状態であると判定され、接続管内風速Ｖｓ及び管内圧力Ｐが計測されるが、この場合、ガス配管１０内を移動する水Ｗを吸引しているため管内圧力Ｐが設定圧力Ｐｐよりも高くなるので、抽水完了状態であると判定されることはない。
【００４０】
そして、抽水可能風速維持状態であり、且つ、圧力下降状態であると判断されると（＃１０６）、その抽水可能風速維持状態及び圧力上昇状態が所定の判定時間の間維持されるかが判断される（＃１０７）。一方、所定の判定時間が経過する前に、抽水可能風速維持状態かつ圧力下降状態ではないと判断されると、再度、水検出センサー４によって接続管２内の水流が検出される（＃１０１）。
このように、所定の判定時間を設けることで、例えば、ガス配管１０内を移動する水Ｗの流動状態によって発生する瞬間的な圧力変動の際に圧力を検出してしまうことにより、誤って管内圧力Ｐが設定圧力Ｐｐより低い圧力下降状態であると判定することなどを防止することができる。
そして、所定の判定時間の間、抽水可能風速維持状態及び圧力下降状態が維持された場合には、抽水完了状態であると判定し、抽水が完了したことを示す抽水完了信号を制御部３に送信するとともに判定結果出力部３ｄに出力する（＃１０８）。これにより、抽水完了判定処理を終了し、吸引手段３０による吸引を停止する。
【００４１】
〔その他の実施形態〕
最後に、本発明のその他の実施形態について説明する。尚、以下に説明する各実施形態の構成は、それぞれ単独で適用されるものに限られず、矛盾が生じない限り、他の実施形態の構成と組み合わせて適用することも可能である。
（１）上記実施形態においては、抽水完了判定手段９によって、抽水可能風速維持状態であり、かつ、圧力下降状態であると判断されると、その抽水可能風速維持状態及び圧力下降状態が所定の判定時間の間維持されるかが判断され、所定の判定時間の間、抽水可能風速維持状態及び圧力下降状態が維持された場合には、抽水完了状態であると判定されたが、これに限らず、配管内風速Ｖｈが抽水可能風速以上Ｖｐであるとともに、管内圧力Ｐが設定圧力Ｐｐよりも低い場合は、抽水完了状態であると判定するように構成しても構わない。
【００４２】
（２）上記実施形態においては、配管内風速Ｖｈが抽水可能風速以上Ｖｐであるとともに、管内圧力Ｐが設定圧力Ｐｐよりも高い場合は、抽水完了状態であると判定されたが、これに限らず、管内圧力Ｐを計測せず、配管内風速Ｖｈが抽水可能風速以上Ｖｐであることのみで抽水完了状態であると判定してもよい。
【００４３】
（３）上記実施形態においては、接続管２に管内圧力Ｐを計測するための圧力計測手段６が設けられたが、これに限らず、圧力計測手段６が設けられていなくてもよい。
【００４４】
（４）上記実施形態においては、接続管２に設けられた風速計７により計測された接続管内風速Ｖｓから、風速算出手段８により配管内風速Ｖｈを算出したが、これに限らず、ガス配管１０に風速計７等を直接に設けて配管内風速Ｖｈを検出してもよい。
【００４５】
（５）上記実施形態においては、吸引手段３０を真空ポンプとタンクを装着したバキューム車としたが、これに限らず、吸引手段３０をエジェクターで構成してもよい。
【００４６】
（６）上記実施形態においては、抽水完了判定処理において、接続管２内の水流の有無を検出するための水流検出手段として水検出センサー４を使用したが、これに限らず、抽水完了判定処理において、接続管２の外側から透明部２ａを介して目視により水流非検出状態であるか否かを作業者が判定し、その作業者によって操作される制御部３に設けられた水流検出スイッチを水流検出手段としてもよい。
【産業上の利用可能性】
【００４７】
以上説明したように、配管内に滞留した水の抽出が完了したことを正確に判定することができる抽水完了判定装置及び抽水完了判定方法を提供することができる。
【符号の説明】
【００４８】
１      抽水完了判定装置
２      接続管
２ａ    透明部
４      水検出センサー（水流検出手段）
５      配管内風速検出手段
６      圧力計測手段
７      風速計（接続管内風速計測手段）
８      風速算出手段
９      抽水完了判定手段
１０    ガス配管（抽水対象配管）
１０ａ  一端側
１０ｂ  他端側
３０    吸引手段
Ａ      空気
Ｐ      管内圧力
Ｖｈ    配管内風速
Ｖｓ    接続管内風速
Ｗ      水
【図１】
2014159834.tif 000003
【図２】
2014159834.tif 000004
【図３】
2014159834.tif 000005